(57)【要約】      （修正有）【課題】回転軸上の二つの位置それぞれで回転を検出する装置の省スペース化を図る。【解決手段】円周状に互いに離間して３個並べられた光検出器からなる第１のエンコーダ手段２１と、被検知部を有し、該被検知部が第１のエンコーダ２１により回転方向の移動量を検出される第１の位置と、回転軸方向に第１の位置から被検知部が第１のエンコーダ２１により検出されない第２の位置へと切り変わる回転部材１７と、回転部材１７が第２位置にあるとき、回転部材の円周方向の回転を検出する第２のエンコーダと、第１のエンコーダ２１の全ての出力信号が無いと判断されたときは、回転部材１７が第２の位置にあると判断し回転部材１７の回転を第２のエンコーダにより検出し、第１のエンコーダ２１から出力信号が有るときは回転部材１７が第１の位置にあると判断し、第１のエンコーダ２１により移動部材の移動量を第１のエンコーダ２１により検出する。【選択図】図８
2014081527.tif 000002
【特許請求の範囲】
【請求項１】
円周状に互いに離間して３個並べられた光検出器からなる第１のエンコーダ手段と、
円周状に並べられ、上記第１のエンコーダにより検出される被検知部を有し、該被検知部が上記第１のエンコーダにより、回転方向の移動量を検出される第１の位置と、回転軸方向に該第１の位置から該被検知部が上記第１のエンコーダにより検出されない第２の位置へと切り変わる回転操作部材と、
上記回転操作部材が上記第２位置にあるとき、上記回転操作部材の円周方向の回転を検出する第２のエンコーダと、
上記第１のエンコーダの全てから出力信号が無いと判断されたときは上記回転操作部材が上記第２の位置にあると判断し、上記回転操作部材の回転第２のエンコーダにより検出し、上記第１のエンコーダから出力信号が有るときは上記回転操作部材が上記第１の位置にあると判断し、上記第１のエンコーダにより上記移動部材の移動量を上記第１のエンコーダにより検出する制御手段と、
を具備した回転操作部材の検出装置。
【請求項２】
上記光検出器はフォトインタラプタであり、上記被検知部は光通過部分と光遮光部分が連続して形成された櫛歯状に形成されていることを特徴とする上記請求項１記載の回転操作部材の検出装置。
【請求項３】
上記第２のエンコーダ手段は、上記回転操作部材の円周方向の回転位置を検出することを特徴とする上記請求項１，２記載の回転操作部材の検出装置。
【請求項４】
上記回転操作部材は、カメラのレンズ鏡筒に用いられる距離環であることを特徴とする回転操作部材の検出装置。
【発明の詳細な説明】
【技術分野】
【０００１】
本発明は、回転位置が切替えられ、その回転部材の位置検出及びそれぞれの位置での回転を検出する装置に関する。
【背景技術】
【０００２】
移動する部材が二つの位置の内の一つの位置を選択可能で、それぞれの位置における移動量や移動位置を電気的に検出する装置においては二つの位置のどちらに位置しているかをまず始めに検出しなければならない。この位置検出を第１の検出とすると、この第１の検出とは別にそれぞれの位置での移動量、移動位置の電気的に検出を行わなければならない場合がある。これを第２の検出とする。つまり少なくとも三つの電気的検出手段を用いることになる。
【０００３】
例えば、特開平６−２６５７７１号公報には、操作部材としての操作環を有し、これを用いてパワーズーム動作とパワーフォーカス動作を行うレンズ鏡筒が開示されている。
【０００４】
そのため、操作部材としての操作環の光軸方向に位置を検知する第１の検出としてのスイッチと、パワーズーム動作における操作環の回転量を検知する磁気センサーと、パワーフォーカス動作における操作環の回転量検知とさらに、その結果としてのズーム値を検出するためのズーム値検出を行う。
【０００５】
特開平６−２６５７７１号公報に開示されているように、第１の検出を行うためのスイッチは磁気センサー等とズーム値検出のための焦点距離検出部を行うエンコーダとは異なる位置に配置され、このために余計なスペースを設けなければならない。
【０００６】
本発明は、上記問題点に鑑みてなされたものであり、回転軸上の二つの位置それぞれの位置で回転可能で、切替えられそれぞれの位置での回転を検出する装置であって、省スペースを図り、装置の大型化を防止した装置を提供する。
【発明の開示】
【課題を解決するための手段】
【０００７】
本発明による回転操作部材の検出装置において、円周状に互いに離間して３個並べられた光検出器からなる第１のエンコーダ手段と、円周状に並べられ、上記第１のエンコーダにより検出される被検知部を有し、該被検知部が上記第１のエンコーダにより、回転方向の移動量を検出される第１の位置と、回転軸方向に該第１の位置から該被検知部が上記第１のエンコーダにより検出されない第２の位置へと切り変わる回転操作部材と、上記回転操作部材が上記第２位置にあるとき、上記回転部材の円周方向の回転を検出する第２のエンコーダと、上記第１のエンコーダの全てから出力信号が無いと判断されたときは上記回転部材が上記第２の位置にあると判断し、上記回転操作部材の回転第２のエンコーダにより検出し、上記第１のエンコーダから出力信号が有るときは上記回転操作部材が上記第１の位置にあると判断し、上記第１のエンコーダにより上記移動部材の移動量を上記第１のエンコーダにより検出する制御手段と、を具備した。
【図面の簡単な説明】
【０００８】
【図１】は、カメラシステムを構成するカメラの前面側を示す斜視図である。
【図２】は、回転操作部材が第１の位置に位置する状態のレンズ鏡筒の上面図である。
【図３】は、回転操作部材が第２の位置に位置する状態のレンズ鏡筒の上面図である。
【図４】は、レンズ鏡筒の断面図である。
【図５】は、回転操作部材が第１の位置に位置する状態のレンズ鏡筒の断面図であり、図５（ａ）は主に回転操作部材と表示部材との係合が解除された状態を示す断面図であり、図５（ｂ）は図５（ａ）と異なる断面位置で断面とした断面図であり、主に第１のエンコーダのフォトインタラプタ部に回転操作部材のスリットが進入している状態を示す断面図である。
【図６】は、回転操作部材が第２の位置に位置する状態のレンズ鏡筒の断面図であり、図６（ａ）は主に回転操作部材と表示部材とが係合した状態を示す断面図であり、図６（ｂ）は図６（ａ）と異なる断面位置で断面とした断面図であり、主に第１のエンコーダのフォトインタラプタ部から回転操作部材のスリットが退避している状態を示す断面図である。
【図７】回転操作部材と表示部材との係合が解除された状態を説明する分解斜視図である。
【図８】は、回転操作部材と表示部材とが係合した状態を説明する分解斜視図である。
【図９】は、カメラシステムの合焦動作に関わる構成の電気回路ブロック図である。
【図１０】は、合焦動作モード切替サブルーチンのフローチャートである。
【図１１】は、自動合焦動作サブルーチンのフローチャートである。
【図１２】は、手動合焦動作サブルーチンのフローチャートである。
【図１３】は、距離指定合焦動作のフローチャートである。
【図１４】は、第１のエンコーダ部の出力信号を説明するためのタイムチャートである。
【図１５】は、回転操作部材の光軸上の位置を判断するためのサブルーチンのフローチャートである。
【発明を実施するための最良の形態】
【０００９】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１０】
本実施形態のカメラシステム１は、図１に示すように、カメラ本体２及び交換レンズとしてのレンズ鏡筒１０を有して構成されている。レンズ鏡筒１０は、被写体像を結像するための光学系部材１１を保持している。本実施形態では一例として、カメラシステム１は、カメラ本体２とレンズ鏡筒１０とが離合可能な形態を有する。なお、カメラシステム１
は、カメラ本体とレンズ鏡筒とが一体となった形態を有するものであってもよい。
【００１１】
また、本実施形態では一例として、カメラシステム１は、カメラ本体２に撮像素子９が配設されており、いわゆる電子カメラ、デジタルカメラ等と称される、被写体像を電子的に撮像し記録する構成を有している。撮像素子９は、受光面（画素領域）に入射される光に応じた電気信号を所定のタイミングで出力するものであり、例えば電荷結合素子（ＣＣＤ）やＣＭＯＳ（相補型金属酸化膜半導体）センサ等の形態を有する。
【００１２】
カメラシステム１は、自動合焦動作（オートフォーカス動作）が可能に構成されており、カメラ本体２に、自動合焦動作に用いられる自動合焦用センサ部が配設されている。本実施形態では一例として、カメラシステム１は、撮像素子９から出力される信号に基づいて被写体像のコントラスト値を検出し、該コントラスト値が最も高くなるように光学系部材１１の焦点調節を行う、いわゆるコントラスト検出方式の自動合焦動作を行うように構成されている。すなわち、本実施形態のカメラシステム１では、撮像素子９が自動合焦用センサ部である。
【００１３】
なお、カメラシステム１は、いわゆる位相差検出方式の自動合焦動作を行う構成であってもよい。この場合には、カメラ本体２に配設される被写体像の位相差を検出するセンサが自動合焦用センサ部となる。また、自動合焦用センサ部は、他の形式の測距センサ等であってもよい。
【００１４】
カメラ本体２の上面部には、使用者が撮像動作の指示を入力するためのレリーズスイッチ３、及び使用者がカメラ本体２の電源オン動作及び電源オフ動作の指示を入力するための電源スイッチ４が配設されている。
【００１５】
本実施形態では、レリーズスイッチ３は、押しボタン型のスイッチであって、異なる２つのストローク量（押下量）に応じてオン状態となる、２つの第１レリーズスイッチ３ａ及び第２レリーズスイッチ３ｂを具備して構成されている。
【００１６】
レリーズスイッチ３を全ストローク量の途中まで押下する、いわゆる半押し操作を行うと第１レリーズスイッチ３ａがオン状態となり、レリーズスイッチ３をこの半押し操作よりもさらに押下する、いわゆる全押し操作を行うと第２レリーズスイッチ３ｂがオン状態となる。カメラシステム１は、第２レリーズスイッチ３ｂがオン状態となった場合に、撮像動作を実行し、画像を記憶する。
【００１７】
なお、レリーズスイッチ３は、第１レリーズスイッチ３ａ及び第２レリーズスイッチ３ｂが離れた位置に配設される形態であってもよい。また、レリーズスイッチ３は、押しボタン型のスイッチの形態に限られるものではなく、タッチセンサ等の他の形態のスイッチによって構成される形態であってもよい。
【００１８】
図示しないが、カメラ本体２には、カメラシステム１の合焦動作のモードの切り替えの指示を入力するための合焦モード切替操作部５が配設されている。使用者が合焦モード切替操作部５を操作することによって、カメラシステム１の合焦動作モードは、自動合焦動作を行う自動合焦動作モードと、手動合焦動作を行う手動合焦動作モードのいずれかが選択される。自動合焦動作モード及び手動合焦動作モード時におけるカメラシステム１の動作は後述するものとする。
【００１９】
なお、合焦モード切替操作部５は、ボタンスイッチの形態に限らず、タッチセンサやダイヤルスイッチ等であってもよい。また、カメラ本体２が画像表示装置を備え、該画像表示装置に表示されるメニューをボタンスイッチやタッチセンサを介して選択することによって、合焦動作モードを切り替える形態であってもよい。また、合焦モード切替操作部５は、レンズ鏡筒１０に配設される形態であってもよい。
【００２０】
また、図示しないが、カメラ本体２には、カメラシステム１に電力を供給するための一次電池または二次電池を収容する電池収容部、及び画像を記憶するためのフラッシュメモリを収容する記憶媒体収容部が設けられている。
【００２１】
本実施形態では、カメラ本体２とレンズ鏡筒１０とは、一般にバヨネット式マウントと称される係合機構によって離合可能である。なお、カメラシステム１において、カメラ本体２とレンズ鏡筒１０とを離合可能とする構成は本実施形態に限られるものではなく、例えばネジ機構を用いる一般にスクリュー式マウントと称される構成であってもよい。また、カメラ本体２とレンズ鏡筒１０とは、嵌合や磁石等を用いた機構によって離合可能とされる構成であってもよい。
【００２２】
レンズ鏡筒１０は、基台部１２、固定枠（第１の枠）１４、合焦用枠１３、駆動部１５、指標表示枠１６、表示部材（第２の枠、距離表示環、距離表示手段）１８、及び回転操作部材（操作部材、回転操作環、回転操作手段、回転操作部）１７を有して構成されている。なお、表示部材１８は、主として円筒状の第１の円筒部材からなり、さらにその外周に嵌合される、薄く、軸方向に第１の円筒状部材よりも短い第２の円筒状部材が固定されて構成されている。そして第２の円筒状部材の外周には、後述する距離目盛１８ａが表示されている。以下では、表示部材１８は、これら第１の円筒部材と第２の円筒部材を一体のものとして説明する。
【００２３】
図２に示すように、基台部１２は、カメラ本体２に係合するバヨネット部１２ａを有する。基台部１２は、バヨネット部（バヨネット爪）１２ａがカメラ本体２に係合することによって、カメラ本体２に対して固定される。
【００２４】
図４に示すように、レンズ鏡筒１０は、この基台部１２に対して、撮像光学系としての複数のレンズ等からなる光学系部材１１を保持する機構を有する。なお、レンズ鏡筒１０が保持する光学系部材１１の形態は、レンズの他に、絞り、プリズム、ミラー、フィルタ等を含むものであってもよい。
【００２５】
光学系部材（光学系要素、撮像光学系）１１は、一部又は全部が前記基台部１２に対して光学系部材１１の光軸Ｏ方向に相対的に移動することによって、合焦距離が変化するように構成されている。ここで、合焦距離の変化とは、合焦させようとする被写体までの距離を変化させることを意味する。またこれは、光学系部材１１の焦点を合わせる焦点位置を変化させることを意味する。以下では、光学系部材１１のうち、合焦距離を変化させる場合に光軸Ｏ方向に移動する部材を、合焦用レンズ（合焦用光学要素、合焦用光学系部材）１１ａと称するものとする。
【００２６】
具体的に、本実施形態の光学系部材１１は、光軸Ｏに沿って配設された複数のレンズ及び絞り機構部１９を有して構成されている。そして本実施形態では、光学系部材１１の複数のレンズのうちの最も後方（像側）に配設されたレンズが、合焦用レンズ１１ａである。
【００２７】
合焦用レンズ１１ａは、基台部１２に対して相対的に光軸Ｏ方向に進退移動可能に配設された合焦用枠１３によって保持されている。合焦用枠１３は、駆動部１５によって、光軸Ｏ方向に駆動される。
【００２８】
駆動部１５の構成は特に限定されるものではないが、本実施形態では、光軸Ｏと略平行に配設されたスクリュー１５ａ、スクリュー１５ａを回転させる駆動源（モータ）１５ｃ、及びスクリュー１５ａに螺合するナット１５ｂを有して構成されている。本実施形態では、駆動源１５ｃは、ステッピングモータである。ナット１５ｂは、スクリュー１５ａ周りの回転を規制されており、スクリュー１５ａの回転に伴い光軸Ｏと略平行に移動する。合焦用枠１３は、ナット１５ｂに従動するように不図示のばねによりナット１５に係合、当接している。
【００２９】
駆動部１５は、駆動源１５ｃによりスクリュー１５ａを回転させることによって、合焦用枠１５を光軸Ｏ方向に駆動する。なお、駆動部１５の構成は本実施形態に限られるものではなく、リニアモータ等の他の形式であってもよい。また、駆動部１５は、例えば駆動源等の一部の構成部材がカメラ本体２内に配設される構成であってもよい。
【００３０】
また、光学系部材１１の合焦用レンズ１１ａ以外の部材は、基台部１２に対して位置が固定された第１の枠である固定枠１４によって保持されている。
【００３１】
なお、本実施形態のレンズ鏡筒１０は、焦点距離が固定されたいわゆる単焦点レンズの形態を有していることから、合焦用レンズ１１ａ以外の光学系部材１１は固定枠１４によって保持されているが、レンズ鏡筒１０が、全長が伸縮可能な、いわゆる沈胴レンズ鏡筒である場合や、焦点距離を変更可能ないわゆるズームレンズ又はバリフォーカルレンズである場合には、合焦用レンズ１１ａ以外の光学系部材１１も、基台部１２に対して相対的に移動する枠部材によって保持されることは言うまでもない。
【００３２】
レンズ鏡筒１０の外周部には、回転操作部材１７、指標表示枠１６及び表示部材１８が配設されている。
【００３３】
回転操作部材１７は、レンズ鏡筒１０の外周部において、光学系部材１１の光軸Ｏ周りに回転可能、かつ光軸Ｏ方向に進退移動可能に配設された略円筒状の部材である。回転操作部材１７は、少なくとも一部がレンズ鏡筒１０の外周面上に露出しており、カメラシステム１の使用者の手指が係るように配設されている。
【００３４】
具体的に本実施形態では、回転操作部材１７は、図５及び図６の断面図、及び図７及び図８の斜視図に示すように、レンズ鏡筒１０の外周面上に露出して、使用者の手指が係るように外周部に凹凸が設けられた略円筒状の操作部１７ａ、及び操作部１７ａの内側に所定の隙間を有して配設された略円筒状の内側円筒部（係合枠）１７ｂの２つの略円筒状の部位を有している。
【００３５】
なお、図示する本実施形態では、操作部１７ａ及び内側円筒部１７ｂは別部材であって、例えばネジや接着剤によって固定されることによって回転操作部材１７を構成しているが、操作部１７ａ及び内側円筒部１７ｂは、一体に形成される形態であってもよい。
【００３６】
回転操作部材１７は、使用者の手指によって操作部１７ａに加えられる力によって、光軸Ｏ周りに回転する。また、回転操作部材１７は、図２及び図３に示すように、光軸Ｏ方向に所定の範囲で移動可能であって、外部からの力が加えられていない状態では移動範囲の両端のいずれか一方に選択的に位置するように配設されている。回転操作部材１７は、使用者の手指によって操作部１７ａに加えられる力によって、光軸Ｏ方向の移動範囲の一端から他端へ、又は他端から一端へと往復移動可能となっている。
【００３７】
以下では、回転操作部材１７が選択的に位置する２つの位置のうち、光軸Ｏ方向の移動範囲の前方側（被写体側）の端部を第１の位置と称し、移動範囲の後方側（像側）の端部を第２の位置と称するものとする。
【００３８】
すなわち、図２、図４、図５及び図７は、回転操作部材１７が第１の位置に位置している状態を示しており、図３、図６及び図８は、回転操作部材１７が第２の位置に位置している状態を示している。
【００３９】
図５及び図６に示すように、回転操作部材１７の内周面上には、径方向内側に突出し断面が略三角形状である凸状部１７ｃが、周方向に全周にわたって形成されている。凸状部１７ｃは、光軸Ｏに沿って前方に向かうにつれて内径が小さくなり、該三角形状の頂点に至るように形成された第１斜面部１７ｄと、第１斜面部１７ｄの前方側において該三角形状の頂点から光軸Ｏに沿って前方に向かうにつれて内径が大きくなるように形成された第２斜面部１７ｅと、を有している。
【００４０】
また、回転操作部材１７の内側に配設された固定枠１４には、凸状部１７ｃに対向する箇所に貫通孔１４ａが穿設されている。貫通孔１４ａ内には、ボール１４ｂが遊嵌している。ボール１４ｂは、固定枠１４の外周面よりも外側に突出可能であって、板バネである付勢部材１４ｃによって、固定枠１４の径方向外側に向かって付勢されている。付勢部材１４ｃは、そのバネ部分（板バネ）が固定枠１４の内周面に配置されている。付勢部材１４ｃ及びボール１４ｂは、周方向に複数箇所に配設されている。
【００４１】
ボール１４ｂは、回転操作部材１７が第１の位置に位置している場合には、凸状部１７ｃの第１斜面部１７ｄに当接し、回転操作部材１７が第２の位置に位置している場合には、凸状部１７ｃの第２斜面部１７ｅに当接する。凸状部１７ｃが略三角形状の断面を有することから、ボール１４ｂは、回転操作部材１７の位置に関わらず、第１斜面部１７ｄ及び第２斜面部１７ｅのいずれかに常に当接している。
【００４２】
したがって、回転操作部材１７が移動可能範囲の前方寄りに位置している場合には、回転操作部材１７は、第１斜面部１７ｄに当接するボール１４ｂによって前方に向かって付勢され、第１の位置において移動可能範囲の一端に当て付き、位置決めされる。
【００４３】
一方、回転操作部材１７が移動可能範囲の後方寄りに位置している場合には、回転操作部材１７は、第２斜面部１７ｅに当接するボール１４ｂによって後方に向かって付勢され、第２の位置において移動可能範囲の他端に当て付き、位置決めされる。
【００４４】
したがって、本実施形態のレンズ鏡筒１０では、回転操作部材１７に外力が加えられていない場合には、回転操作部材１７の光軸Ｏ方向の位置は、第１の位置及び第２の位置のいずれかとなる。例えば、回転操作部材１７が第１の位置に位置している状態において、回転操作部材１７に加えられる後方への外力が、付勢部材１４ｃ及びボール１４ｂが発生する付勢力よりも弱い場合には、当該外力が消失すれば回転操作部材１７は第１の位置に戻る。また例えば、回転操作部材１７が第１の位置に位置している状態において、回転操作部材１７に加えられる後方への外力が、付勢部材１４ｃ及びボール１４ｂが発生する付勢力よりも強ければ、回転操作部材１７は第２の位置へ移動する。
【００４５】
また、レンズ鏡筒１０には、少なくとも回転操作部材１７が第１の位置に位置している場合に、回転操作部材１７の光軸Ｏ周りの回転方向及び回転量を検出するエンコーダ部（操作部回転検出部、回転検出手段）２１が配設されている。また、レンズ鏡筒１０には、回転操作部材１７が光軸Ｏ方向の第１の位置及び第２の位置のいずれに位置しているかを検出するため、エンコーダ部２１と共に協働して操作部材位置検出部（位置検出手段）としてのエンコーダ部２２が配設されている。これらエンコーダ部２１と操作部材位置検出部（位置検出手段）であるエンコーダ部２２とを第１のエンコーダ部２１，２２と以下に称する。
【００４６】
第１のエンコーダ部のエンコーダ部２１は、回転操作部材１７に周方向に所定の間隔で設けられた複数のスリット（切り欠き）１７ｎの通過を同一円周上に互いに離間して配置された一対の光検出器であるフォトインタラプタで検出し、該一対のフォトインタラプタの出力信号に基づいて、回転操作部材１７の回転方向及び回転量を検出する。本実施形態の第１のエンコーダ部のエンコーダ部２１、及び回転操作部材１７に被検知部である互いに円周方向に離間して設けられた複数のスリット１７ｎは、いわゆるインクリメンタル形式のロータリーエンコーダと同様の形態を有している。
【００４７】
より具体的に本実施形態では、スリット１７ｎは、図７に示すように、内側円筒部１７ｂの前方側端部に形成されている。第１のエンコーダ部のエンコーダ部２１を構成する一対のフォトインタラプタは、図５及び図６に示すように、固定枠１４に固定されている。
【００４８】
スリット１７ｎが形成された内側円筒部１７ｂの前方側端部は、回転操作部材１７が第１の位置に位置している場合にのみ、一対のフォトインタラプタの検出範囲内に位置する。したがって、本実施形態の第１のエンコーダ部のエンコーダ部２１は、回転操作部材１７が第１の位置に位置している場合にのみ、回転操作部材１７の光軸Ｏ周りの回転方向及び回転量を検出することができる。
【００４９】
操作部材位置検出部であるエンコーダ部２２は、基台部１２又は固定枠１４に固定された光検出器であるフォトインタラプタからなる。操作部材位置検出部であるエンコーダ部２２は、エンコーダ部２１と同一円周上に離間して配置されている。第１のエンコーダ部（第１のエンコーダ手段）は、円周方向に光軸と直交する平面と平行に、帯状に形成された不図示のフレキシブルプリント基板に実装されている。
以下にエンコーダ部２１とエンコーダ部２２の配置関係を、図１４を参照しながら説明する。
第１のエンコーダ部２１、２２は、回転操作部材１７のスリット１７ｎを含む被検出部が受発光素子間を出入りすることにより、例えば１：１のデューティ比のパルス信号を出力するとする。
図１４中のＰ１とＰ２の出力パルスのように、エンコーダ部２１の一方のフォトリフレクタからパルス信号（Ｐ１）を出力するとき、他方のフォトリフレクタからは４分の１周期だけ位相をずらしてパルス信号（Ｐ２）が出力されるように、一方のフォトリフレクタに対し他方のフォトリフレクタを位置設定する。更に図１４中のＰ３のパルス信号がエンコーダ部２２から出力するように設定位置する。すなわちＰ１とＰ２のパルス出力が共にＬｏのときには必ず、図１４中のＳ期間のように、エンコーダ部２２からはＨｉのパルス信号が出力されるように位置設定する。
このように３個のフォトリフレクタを位置設定することにより、回転操作部材１７のスリット１７ｎを含む被検出部が第１のエンコーダ部２１、２２に進入していれば、例えば図１４中の線分Ｌ１、Ｌ２、Ｌ３、Ｌ４で示すそれぞれの位置において第１のエンコーダ部２１，２２からは必ずＨｉ信号が出力される。また、回転操作部材１７のスリット１７ｎを含む被検出部が第１のエンコーダ部２１，２２から退避していれば第１のエンコーダ部２１，２２からはＬｏ信号しか出力されない。従って、フォトリフレクタのＰ１、Ｐ２、Ｐ３の信号いずれかがＨｉ信号であれば回転操作部材１７のスリット１７ｎを含む被検出部がフォトリフレクタのＰ１、Ｐ２、Ｐ３のいずれかに進入している状態、すなわち回転操作部材１７が第１の位置にあると判断できる。当然、フォトリフレクタのＰ１、Ｐ２、Ｐ３の信号いずれもＬｏ信号であれば回転操作部材１７は第２の位置にあると判断できる。
【００５０】
また、回転操作部材１７には、係合手段（係合部）を構成する係合凸部１７ｇが設けられている。係合凸部１７ｇは、回転操作部材１７が第２の位置に位置している場合に、後述する表示部材１８と係合し、回転操作部材１７と表示部材１８とを一体に回転させるためのものである。
【００５１】
係合凸部１７ｇは、内側円筒部１７ｂの外周面上において、径方向外側に突出する複数の凸部からなる。図７及び図８に示すように、係合凸部１７ｇを構成する複数の凸部は、互いの間に一定の隙間を有して、周方向に等間隔に配列されている。また、複数の凸部は、径方向外側から見た場合に、後方側の一部が、後方側に向かうにつれて幅が狭くなる略Ｖ字状の形状を有している。係合凸部１７ｇと表示部材１８との係合の構成については後述するものとする。
【００５２】
指標表示枠１６は、基台部１２に対して位置が固定された、レンズ鏡筒１０の外装部材の一部であり、固定枠の機能を有した枠部材（第１の枠）である。指標表示枠１６は、固定枠１４を介して基台部１２に固定されている。指標表示枠１６は、回転操作部材１７が第１の位置に位置している状態において、回転操作部材１７の操作部１７ａよりも前方側となる位置に配設されている。指標表示枠１６には、光軸Ｏと略平行な短い直線状の指標１６ａが設けられている。指標１６ａは、後述する表示部材１８に設けられた距離目盛１８ａを指し示すためのものである。
【００５３】
また、指標表示枠１６には、指標１６ａを挟んで略対称に周方向両側に、被写界深度目盛１６ｂが配設されている。被写界深度目盛１６ｂは、光学系部材１１のＦ値（絞り値）に対応した被写界深度を表示するためのものである。そして、その被写界深度目盛１６ｂは、同じ数値のＦ値を表す文字で対となって指標１６ａを挟むように表示されている。この対は複数の対があり、対同士は互いに異なる数値のＦ値を有する。尚、本実施形態の説明においては複数の数値（５．６、１１、２２）が表示されているが、少なくとも同じ数値からなる一対の数値のみが表示されているだけでもよい。
【００５４】
第２の枠である表示部材１８は、基台部１２に対して光軸Ｏ周りに相対的に回転可能であって、回転操作部材１７の内側に配設された略円筒状の部材である。言い換えれば、表示部材１８は、指標表示枠１６に対して光軸Ｏ周りに相対的に回転可能である。
【００５５】
図３に示すように、表示部材１８の外周面には、光学系部材１１の合焦距離を表す距離目盛１８ａが設けられている。距離目盛１８ａは、光学系部材１１の最短合焦距離から無限遠までの距離を示す数値が周方向に配列されている。表示部材１８が指標表示枠１６に対して光軸Ｏ周りに相対的に回転することによって、指標１６ａが指し示す距離目盛１８ａの数値が変化する。
【００５６】
表示部材１８は、不図示の機構により光軸Ｏ周りの回転範囲が一定の角度に制限されており、指標１６ａによって距離目盛１８ａが指し示される範囲内でのみ、光軸Ｏ周りに回転可能である。すなわち、距離目盛１８ａは、指標１６ａとの組み合わせによって、光学系部材１１の最短合焦距離から無限遠までの距離の数値を必ず表示する。
【００５７】
本実施形態では、図２に示すように、回転操作部材１７が第１の位置に位置している場合には、表示部材１８の距離目盛１８ａは、レンズ鏡筒１０の外部から見えない状態となる。一方、図３に示すように、回転操作部材１７が第２の位置に位置している場合には、表示部材１８の距離目盛１８ａは、レンズ鏡筒１０の外部から見える状態となる。
【００５８】
具体的には、表示部材１８は、回転操作部材１７の操作部１７ａと内側円筒部１７ｂの間に配設されている。言い換えれば、回転操作部材１７の操作部１７ａである円筒部は、表示部材１８の外周面よりもさらに径方向外側に配設されている。そして、回転操作部材１７が第１の位置に位置している場合には、操作部１７ａが、距離目盛１８ａ上に進出して距離目盛１８ａを覆い隠す。また、回転操作部材１７が第２の位置に位置している場合には、操作部１７ａは距離目盛１８ａ上から退避し、距離目盛１８ａが外部に露出し表示される。言い換えるならば、回転操作部材１７が第２の位置に位置している場合に、表示部材１８が外部に露出されている状態となる。
【００５９】
そして、本実施形態のレンズ鏡筒１０では、表示部材１８は、回転操作部材１７が第２の位置に位置している場合にのみ、回転操作部材１７とともに光軸Ｏ周りに回転するように構成されている。また、回転操作部材１７が第１の位置に位置している場合には、回転操作部材１７は、表示部材１８と独立して回転可能である。
【００６０】
具体的には、表示部材１８の内周部（内周面）には、係合手段を構成する１つの係合ピン１８ｂが、径方向内側に突出するように設けられている。本実施形態では、係合ピン１８ｂは、表示部材１８と別部材であって、圧入や接着剤によって表示部材１８に固定されている。なお、係合ピン１８ｂは、表示部材１８と一体に形成される形態であってもよい。
【００６１】
表示部材１８は、回転操作部材１７の操作部１７ａと内側円筒部１７ｂの間に配設されていることから、係合ピン１８ｂは、表示部材１８の内側に配設されている内側円筒部１７ｂに向かって突出する。言い換えれば、表示部材１８の係合ピン１８ｂと、回転操作部材１７の係合凸部１７ｇは、互いに向かい合う方向に突出している。
【００６２】
係合ピン１８ｂの外径は、隣接する係合凸部１７ｇ同士の間隔よりも小さく、係合ピン１８ｂは、隣接する係合凸部１７ｇ同士の間にすきま嵌めの状態で嵌合する形状を有している。また、係合ピン１８ｂは、径方向内側から見た場合に前方側が略Ｖ字状となる断面形状を有している。
【００６３】
図５及び図７に示すように、係合ピン１８ｂは、回転操作部材１７が第１の位置に位置している場合には、回転操作部材１７の係合凸部１７ｇよりも後方側であって、回転操作部材１７が光軸Ｏ周りに回転しても係合凸部１７ｇと干渉しない位置に配設されている。
【００６４】
また、図６及び図８に示すように、係合ピン１８ｂは、回転操作部材１７が第２の位置に位置している場合には、係合凸部１７ｇと同一円周方向上に位置している。言い換えれば、回転操作部材１７が第２の位置に位置している場合には、係合ピン１８ｂは、光軸Ｏ方向について係合凸部１７ｇと重なる位置に配設されている。すなわち、回転操作部材１７が第１の位置から第２の位置に相対的に移動すると、係合ピン１８ｂは、隣接する係合凸部１７ｇ同士の間に嵌合する。また、逆に、回転操作部材１７が第２の位置から第１の位置に相対的に移動すると、係合ピン１８ｂと係合凸部１７ｇとの嵌合が外れる。
【００６５】
以上のような構成を有する係合凸部１７ｇ及び係合ピン１８ｂからなる係合手段によって、表示部材１８は、回転操作部材１７が第２の位置に位置している場合には、回転操作部材１７とともに光軸Ｏ周りに回転し、回転操作部材１７が第１の位置に位置している場合には、回転操作部材１７が光軸Ｏ周りに回転したとしても回転せずに停止したままとなる。
【００６６】
なお、前述したように、係合凸部１７ｇの複数の凸部は、径方向外側から見た場合に後方側が略Ｖ字状の形状を有しており、かつ係合ピン１８ｂは、径方向内側から見た場合に前方側が略Ｖ字状の形状を有していることから、回転操作部材１７が第１の位置から第２の位置に移動する際には、この双方に設けられた略Ｖ字状の部位同士が倣うことによって表示部材１８が僅かに回転し、係合ピン１８ｂと係合凸部１７ｇとが滑らかに係合する。このため、回転操作部材１７を光軸Ｏ方向に移動する操作に引っかかりが生じることがなく、回転操作部材１７の移動を速やかに行うことができる。
【００６７】
また、前述したように表示部材１８の回転範囲は、距離目盛１８ａと指標１６ａとの組み合わせが光学系部材１１の最短合焦距離から無限遠までの距離の数値を表示する範囲に制限されている。このため、回転操作部材１７は、第２の位置に位置して表示部材１８と係合している場合には、表示部材１８と同一の回転範囲内でのみ回転することが可能である。すなわち、回転操作部材１７が第２の位置に位置している場合には、回転操作部材１７の回転範囲に制限がかけられている。
【００６８】
以上のように、回転操作部材１７が第２の位置に位置している場合には、固定された第１の枠に対する表示部材１８（第２の枠）の相対的な回転の範囲を規制する回転規制手段によって、回転操作部材１７の回転の範囲も所定の範囲に規制される。
【００６９】
一方、回転操作部材１７が第１の位置に位置している場合には、回転操作部材１７は表示部材１８と干渉しないため、回転操作部材１７の回転範囲に制限はない。つまり、回転操作部材１７が第１の位置に位置している場合には、回転操作部材１７は回転規制手段によって回転の範囲が規制されることなく、無制限に回転可能である。
【００７０】
また、本実施形態のレンズ鏡筒１０には、表示部材１８の基台部１２に対する光軸Ｏ周りの絶対的な回転位置を検出する第２のエンコーダ手段である公知の技術を用いた第２のエンコーダ部（表示部材回転検出部、回転位置検出手段）２３が配設されている。
【００７１】
本実施形態では一例として、例えば、第２のエンコーダ部２３は、いわゆるアブソリュート型のロータリーエンコーダの形態を有して構成されている。第２のエンコーダ部２３は、導電体からなる所定のビット数のコードパターンと、コードパターンに摺動する導電体からなる摺動接片からなる接点部を有して構成されている。
【００７２】
コードパターンは、固定枠１４の外周部に配設されており、接点部は、表示部材１８に配設されている。表示部材１８の光軸Ｏ周りの回転位置に応じて、接点部が接触するコードパターンの位置が変化する。図示しないが、第２のエンコーダ部２３は、コードパターンと接点部との接触の状態を検出する電気回路を有しており、この検出結果から、表示部材１８の基台部１２に対する光軸Ｏ周りの絶対的な回転位置を算出することができる。
【００７３】
なお、第２のエンコーダ部２３の構成は、基台部１２に対する光軸Ｏ周りの絶対的な回転位置を検出することが可能な形態であれば本実施形態に限られるものではない。例えば、第２のエンコーダ部２３は、光学式又は磁気式のアブソリュート型ロータリーエンコーダであってもよいし、表示部材１８の光軸Ｏ周りの回転位置に応じて抵抗値が変化する、いわゆるポテンショメータと同様の構成を有する形態であってもよい。
【００７４】
次に、カメラシステム１の合焦動作に関わる部分の電気的な構成を、図９を参照して説明する。
【００７５】
前述したように、カメラ本体２には、レリーズスイッチ３、電源スイッチ４、合焦モード切替操作部５、及び自動合焦用センサ部である撮像素子９が配設されている。また、カメラ本体２には、カメラ本体制御部６、画像処理部７、通信部８、画像表示回路３０及び画像表示装置３１が配設されている。
【００７６】
制御部を構成するカメラ本体制御部（制御手段）６は、演算装置（ＣＰＵ）、記憶装置（ＲＡＭ）、入出力装置及び電力制御装置等を具備して構成されており、カメラ本体２の動作を、所定のプログラムに基づいて制御するものである。
【００７７】
また、画像処理部７は、画像処理を行うための電子回路部であり、撮像素子９から出力される信号から被写体像のコントラスト値を算出することが可能である。なお、画像処理部７のカメラ本体２への実装形態は、画像処理用の演算ハードウェアを搭載するハードウェア的な形態であってもよいし、カメラ本体制御部６の演算装置が所定の画像処理プログラムに基づいて画像処理を行うソフトウェア的な形態であってもよい。
【００７８】
通信部８は、有線通信又は無線通信によって、レンズ鏡筒１０に設けられた通信部２５を介してレンズ鏡筒制御部２４との通信を行うためのものである。また、画像処理回路３０は、撮像素子９からの被写体像を画像表示装置３１に表示するための回路であり、例えば合焦動作中の被写体像を画像表示装置３１に表示させる。
【００７９】
レンズ鏡筒１０には、前述したように、駆動部１５、操作部材位置検出部と操作部材の回転方向、回転量を検出する回転検出部とを構成する第１のエンコーダ部２１、２２及び操作部材の位置を検出する回転位置検出をする第２のエンコーダ部２３が配設されている。また、レンズ鏡筒１０には、レンズ鏡筒制御部２４及び通信部２５が配設されている。第１のエンコーダ部の
制御部を構成するレンズ鏡筒制御部（制御手段）２４は、演算装置、記憶装置、及び入出力装置等を具備して構成されており、カメラ本体制御部６と連係してレンズ鏡筒１０の動作を、所定のプログラムに基づいて制御するものである。また、通信部８は、有線通信又は無線通信によって、カメラ本体２に設けられた通信部８を介してカメラ本体制御部６との通信を行うためのものである。
【００８０】
次に、以上に説明した構成を有するカメラシステム１の動作を説明する。
【００８１】
本実施形態のカメラシステム１では、カメラ本体が電源オン状態である場合に、カメラ本体制御部６によって、図１０に示す合焦動作モード切替サブルーチンが必要に応じて繰り返し行われる。合焦動作モード切替サブルーチンは、カメラシステム１が有する複数の合焦動作モードのうち、使用者からの指示入力によって選択されたものを判定し、カメラシステム１の合焦動作モードを指示入力に従って切り替えるためのものである。
【００８２】
なお、以下に説明する合焦動作モード切替サブルーチンは、カメラシステム１が撮影動作を行うためのメインルーチンの中に適宜に組み込まれるものである。カメラシステム１が撮影動作を行うためのメインルーチンについては、周知の技術と同様であるためその説明は省略するものとする。
【００８３】
合焦動作モード切替サブルーチンでは、まず、ステップＳ０１において、合焦モード切替操作部５を介して使用者が選択した合焦動作モードが、自動合焦動作モードであるか否かを判定する。
【００８４】
ステップＳ０１の判定の結果、自動合焦動作モードが選択されている場合には、ステップＳ０４に移行し、自動合焦動作を行うように、カメラシステム１の動作を切り替える。ステップＳ０４では、カメラシステム１は、図１１に示す自動合焦動作を行う。
【００８５】
カメラシステム１が自動合焦動作を行うタイミングは特に限定されるものではないが、本実施形態では一例として、図１１のフローチャートに示すように、第１レリーズスイッチ３ａがオン状態となった場合に、自動合焦動作を行うものとする。
【００８６】
カメラシステム１が自動合焦動作を行う場合、自動合焦用センサ部である撮像素子９から出力される信号に基づいて被写体像のコントラスト値を検出し、該コントラスト値が最も高くなるように合焦用枠１３を駆動する。
【００８７】
例えば、本実施形態のように、カメラ本体１とレンズ鏡筒１０とが離合可能な構成であるカメラシステム１の場合には、自動合焦動作時には、撮像素子９から出力される信号に基づいた焦点調節を行うために合焦用枠１３を駆動する指令は、カメラ本体制御部６が行う。この場合、レンズ鏡筒１０のレンズ鏡筒制御部２４は、通信部２５を介して入力されるカメラ本体制御部６からの指令に応じて、駆動部１５を介して合焦用枠１３を駆動する。
【００８８】
ステップＳ０４の実行により合焦動作モード切替サブルーチンは終了するため、本実施形態のカメラシステム１では、自動合焦動作モードが選択されている場合には、回転操作部材１７が第１の位置及び第２の位置のいずれに位置している場合であっても、自動合焦動作が行われる。したがって、自動合焦動作では、回転操作部材１７が第２の位置に位置して距離目盛１８ａが外部に露出している場合であっても、指標１６ａが指す距離目盛１８ａの距離の数値に関わらず、合焦用枠１３が駆動されて焦点調節が行われる。またここで、「回転操作部材１７が第２の位置に位置して距離目盛１８ａが外部に露出している場合であっても、指標１６ａが指す距離目盛１８ａの距離の数値に関わらず、合焦用枠１３が駆動されて焦点調節が行われる」としたが、別実施形態として、回転操作部材１７が第２の位置に位置して距離目盛１８ａが外部に露出している場合、指標１６ａが指す距離目盛１８ａの距離の通りに、この距離に対応する位置に合焦用枠１３を駆動してもよい。
【００８９】
一方、ステップＳ０１の判定の結果、自動合焦動作モードが選択されていない場合には、ステップＳ０２へ移行する。ステップＳ０２においては図１５に示す回転操作部材１７（距離環）の光軸上の位置、すなわち回転操作部材１７が第１の位置にあるのか第２の位置にあるのかを判断する距離環位置判断サブルーチンを実行する。
距離環位置判断サブルーチンのステップＳ４０で第１のエンコーダ部の２１の一方のフォトリフレクタの出力Ｐ１をみてＬｏ信号かどうかを判断する。ここでＬｏ信号でない、すなわちＨｉ信号であると判断されるとステップＳ４４に進み回転操作部材１７は第１の位置にあると判断する。Ｌｏ信号であると判断されればステップ４１に進む。
ステップＳ４１で第１のエンコーダ部のエンコーダ部２１の他方のフォトリフレクタの出力Ｐ２をみてＬｏ信号かどうかを判断する。ここでＬｏ信号でない、すなわちＨｉ信号であると判断されるとステップ４４に進み回転操作部材１７は第１の位置にあると判断する。Ｌｏ信号であると判断されればステップ４２に進む。
ステップＳ４２で第１のエンコーダ部のエンコーダ部２２のフォトリフレクタの出力Ｐ３をみてＬｏ信号かどうかを判断する。ここでＬｏ信号でない、すなわちＨｉ信号であると判断されるとステップ４４に進み回転操作部材１７は第１の位置にあると判断する。Ｌｏ信号であると判断されればステップ４３に進み、回転操作部材１７は第２の位置にあると判断される。この後に合焦動作モード切替サブルーチンのステップＳ０３に進む。
【００９０】
ステップＳ０３では、操作部材位置検出部２２の出力信号に基づいて、回転操作部材１７が第１の位置に存在するか否かを判定する。
【００９１】
ステップＳ０３の判定において、回転操作部材１７が第１の位置に存在すると判定した場合には、ステップＳ０５に移行し、焦点調節のための手動合焦動作を行うように、カメラシステム１の動作を切り替える。
【００９２】
ステップＳ０５では、カメラシステム１は、図１２に示す手動合焦動作を行う。カメラシステム１は、手動合焦動作を行う場合には、第１のエンコーダ部２１によって回転操作部材１７の回転を検出した場合に、回転操作部材１７の回転方向及び回転量に応じて合焦用枠１３を駆動する。なお、手動合焦動作時においては、使用者は、画像表示装置３１に表示される被写体像の様子を観察することにより合焦の様子を観察することができ、この観察結果に基づいて回転操作部材１７を操作する。もちろん、他の合焦動作時においても同様に、使用者は、画像表示装置３１に表示される被写体像の様子を観察することにより合焦の様子を観察することができる。
【００９３】
例えば、レンズ鏡筒１０を後方から見た場合に、回転操作部材１７が時計回り方向に回転したことを検出した場合には、カメラシステム１は、光学系部材１１の合焦距離が短くなる方向に合焦用枠１３を移動させる。また例えば、レンズ鏡筒１０を後方から見た場合に、回転操作部材１７が反時計回り方向に回転したことを検出した場合には、カメラシステム１は、光学系部材１１の合焦距離が長くなる方向に合焦用枠１３を移動させる。
【００９４】
手動合焦動作における合焦用枠１３の移動距離及び速度は、第１のエンコーダ部２１によって検出された回転操作部材１７の回転量（回転角度）及び回転速度（回転角速度）に応じて決められる。
【００９５】
図１２に示す手動合焦動作は、合焦動作モード切替サブルーチンの実行によって、手動合焦動作以外の合焦動作が選択されるまで繰り返し実行される。すなわち、合焦モード切替操作部５により自動合焦動作モードが選択されるか、回転操作部材１７が第１の位置から第２の位置に移動されるまで、図１２に示す手動合焦動作は繰り返し実行される。
【００９６】
一方、ステップＳ０３の判定において、回転操作部材１７が第１の位置に存在しないと判定した場合、すなわち回転操作部材１７が第２の位置に存在すると判定した場合には、ステップＳ０６に移行し、焦点調節のための距離指定合焦動作を行うように、カメラシステム１の動作を切り替える。
【００９７】
ステップＳ０６では、カメラシステム１は、図１３に示す距離指定合焦動作を行う。カメラシステム１は、距離指定合焦動作を行う場合には、第２のエンコーダ部２３の出力信号から算出される指標１６ａが指す距離目盛１８ａの距離の数値に応じた位置に合焦用枠１３を駆動する。すなわち、合焦用枠１３は、固定枠１４及び指標表示枠１６である第１の枠と、表示部材１８である第２の枠と、の相対位置に応じた位置に、駆動部１５により駆動される。
【００９８】
具体的に距離指定合焦動作では、まずステップＳ３０において、レンズ鏡筒制御部２４が、第２のエンコーダ部２３の出力値を読み取る。第２のエンコーダ部２３の出力値は、表示部材１８の基台部１２に対する光軸Ｏ周りの絶対的な回転位置を表す値である。
【００９９】
次にステップＳ３１において、レンズ鏡筒制御部２４は、第２のエンコーダ部２３の出力値から、指標１６ａが指す距離目盛１８ａの距離の数値を算出する。第２のエンコーダ部２３の出力値から、指標１６ａが指す距離目盛１８ａの距離の数値への変換は、例えばレンズ鏡筒制御部２４が予め記憶している変換テーブルに基づいて行われる。
【０１００】
次にステップＳ３２において、レンズ鏡筒制御部２４は、第２のエンコーダ部２３の出力値から、指標１６ａが指す距離目盛１８ａの距離の数値と、光学系部材１１の合焦距離とが、一致又は近似するように合焦用枠１３を移動させる。例えば、指標１６ａが指す距離目盛１８ａの距離の数値が３ｍであれば、光学系部材１１の合焦距離が３ｍとなるように合焦用枠１３を移動させる。
【０１０１】
なお、指標１６ａが指す距離目盛１８ａの距離の数値と、光学系部材１１の合焦距離とが一致することが理想的であるが、第２のエンコーダ部２３の分解能が低い場合には両者を一致させることは困難であるため、両者が近似するように合焦用枠１３を移動させる。
【０１０２】
また、レンズ鏡筒制御部２４は、算出した指標１６ａが指す距離目盛１８ａの距離の数値を、通信部２５を介して、カメラ本体２のカメラ本体制御部６へ出力する。カメラ本体制御部６は、受信した当該数値に応じて露出値を決定したり、当該数値を撮影した画像にメタデータとして付加する。
【０１０３】
図１３に示す距離指定合焦動作は、合焦動作モード切替サブルーチンの実行によって、距離指定合焦動作以外の合焦動作が選択されるまで繰り返し実行される。すなわち、合焦モード切替操作部５により自動合焦動作モードが選択されるか、回転操作部材１７が第２の位置から第１の位置に移動されるまで、図１３に示す距離指定合焦動作は繰り返し実行される。
【０１０４】
以上に説明したように、本実施形態のカメラシステム１は、カメラ本体２に固定される基台部１２に対して固定された位置に配設される指標１６ａと、基台部１２に対して回転可能に配設され距離目盛１８ａを有する表示部材１８と、表示部材１８の基台部１２に対する回転位置を検出する第２のエンコーダ部２３と、表示部材１８とともに回転する回転操作部材１７と、を有して構成されている。
【０１０５】
そして、本実施形態のカメラシステム１は、自動合焦動作時には、表示部材１８の回転位置に関わらず、合焦用センサ部である撮像素子９の出力に基づいて焦点調節を行う。また、カメラシステム１は、距離指定合焦動作時には、第２のエンコーダ部２３の出力信号から算出される指標１６ａが指す距離目盛１８ａの距離の数値に応じた位置に合焦用枠１３を駆動する。すなわち、カメラシステム１は、距離目盛を使用した手動合焦が可能である。また、カメラシステム１における自動合焦動作及び距離指定合焦動作の切替は、使用者が合焦モード切替操作部５及び回転操作部材１７を操作することによって可能である。
【０１０６】
以上のような構成を有するカメラシステム１のレンズ鏡筒１０では、駆動部１５が駆動する部材は、合焦用レンズ１１ａを保持する合焦用枠１３のみであり、駆動部１５が駆動する部材を少なくし、かつ軽量なものとすることができる。これにより、本実施形態では、駆動部１５を出力の小さい小型なものとすることができ、レンズ鏡筒１０を小型化することができる。また、合焦動作を素早く行うことができる。
【０１０７】
また、本実施形態では、表示部材１８を駆動するための動力を伝達する機構が不要であり、少ない部品点数の単純な構成で駆動部１５から被駆動部材である合焦用枠１３にまで動力を伝達することができる。このため、焦点調節のために合焦用枠１３を駆動する際に発生する音の音量を下げることが容易である。焦点調節時に発生する音量を抑制することは、例えば動画像の撮影時において好ましい。
【０１０８】
また、本実施形態では、合焦モード切替操作部５により手動合焦動作モードが選択され、かつ回転操作部材１７が第２の位置に位置している場合には、距離目盛を使用した手動合焦が可能である。これにより、本実施形態では、距離目盛１８ａを使用して予め手動で所定の合焦距離に設定しておき、焦点調節動作を行わずに素早く撮影するという撮影手法を実施することができる。
【０１０９】
例えば本実施形態では、指標表示枠１６に被写界深度目盛１６ｂが設けられていることから、使用者は、レンズ鏡筒１０の外周部に露出している距離目盛１８ａ、指標１６ａ及び被写界深度目盛１６ｂを見ることによって、合焦する被写体距離を即座に確認することができる。
【０１１０】
一方で、本実施形態では、合焦モード切替操作部５により手動合焦動作モードが選択され、かつ回転操作部材１７が第１の位置に位置している場合には、回転操作部材１７の回転に応じて焦点調節を行う図１２に示した手動合焦が可能である。手動合焦動作では、回転操作部材１７は、表示部材１８と係合していないことから光軸Ｏ周りに制限無く回転可能であり、光学系部材１１の焦点調節は回転操作部材１７の回転量に応じて行われる。
【０１１１】
このため、本実施形態のカメラシステム１の手動合焦動作では、距離目盛を使用した距離指定合焦動作よりも細かい焦点調節を行うことができる。
【０１１２】
以上のように、本実施形態のカメラシステム１では、駆動部１５を介した荒い焦点調節（粗調節）として、指標１６ａと距離目盛１８ａによって合焦距離と被写界深度が明示されることにより素早い撮影を実現する距離指定合焦動作と、回転操作部材１７の回転量に応じて駆動部１５を介した細かい焦点調節（微調節）を行うことができる手動合焦動作と、を選択的に実行することができる。そして、距離指定合焦動作と手動合焦動作の切替は、回転操作部材１７を前後に移動させるだけで可能であるため、素早く明示的に実行可能である。
【０１１３】
なお、第２のエンコーダ部２３の分解能が充分に高ければ、距離指定合焦動作であっても細かい焦点調節が行えることは言うまでもない。また、距離指定合焦動作を絶対合焦動作と称し、手動合焦動作を相対合焦動作と称してもよい。
【０１１４】
また、本実施形態では、回転操作部材１７が第１の位置に位置している場合には、回転操作部材１７と表示部材１８とが係合していないことから、回転操作部材１７が回転しても表示部材１８は回転しない。したがって、距離指定合焦動作時において設定された合焦距離は、手動合焦動作時に変更されることがない。
【０１１５】
例えば、使用者が距離指定合焦動作時において合焦距離が３メートルとなるように表示部材１８を回転させた後に、回転操作部材１７を第１の位置に移動させ、手動合焦動作による焦点調節を行ったとしても、表示部材１８は回転しない。よって、この後に使用者が操作環１７を第２の位置に移動させて距離指定合焦動作を行う場合には、光学系部材１１の合焦距離は３メートルに戻る。したがって、予め距離指定合焦動作時において合焦距離を所望の値に設定しておけば、手動合焦動作を行っている状態から、回転操作部材１７を後方に移動させるだけで素早く所望の合焦距離による撮影を行うことができる。
【０１１６】
尚、本願発明の説明によれば、回転操作部材を光軸上で第１の位置と第２の位置に切替移動したとき、その位置判別を、第１の位置で回転操作部材の回転量等を検出するのに用いる一対のフォトインタラプタと更にもう一つのフォトインタラプタとでこれを判別したが、第２の位置でもこれを行ってもよい。すなわち、第２の位置でも回転操作部材の回転量等を検出するのに別の一対のフォトインタラプタと更に別のもう一つのフォトインタラプタとを設けてもよい。そうすれば第１の位置でも、第２の位置でも回転操作部材の回転量等を検出できる。
【０１１７】
以上に説明したように、本実施形態によれば、回転軸上の二つの位置それぞれの位置で回転可能で、切替えられそれぞれの位置での回転を検出する装置であって、省スペースを図り、装置の大型化を防止する装置を提供する。
【０１１８】
なお、本発明は、上述した実施形態に限られるものではなく、請求の範囲及び明細書全
体から読み取れる発明の要旨或いは思想に反しない範囲で適宜変更可能であり、そのよう
な変更を伴うカメラシステム及びレンズ鏡筒もまた本発明の技術的範囲に含まれるもので
ある。
【産業上の利用可能性】
【０１１９】
本発明は、上述の実施形態で説明したデジタルカメラの形態を有するカメラシステムに
限らず、内視鏡等の撮像機能を有する電子機器、その他の様々な電子機器にも適用可能である。
【符号の説明】
【０１２０】
１    カメラシステム、
２    カメラ本体、
３    レリーズスイッチ、
３ａ    第１レリーズスイッチ、
３ｂ    第２レリーズスイッチ、
４    電源スイッチ、
５    合焦モード切替操作部、
６    カメラ本体制御部（制御部、制御手段）、
７    画像処理部、
８    通信部、
９    撮像素子（自動合焦用センサ部）、
１０    レンズ鏡筒、
１１    光学系部材、
１１ａ    合焦用レンズ（合焦用光学系要素、合焦用光学系部材）、
１２    基台部、
１２ａ    バヨネット部、
１３    合焦用枠、
１４    固定枠、
１４ａ    貫通孔、
１４ｂ    ボール、
１４ｃ    付勢部材、
１５    駆動部、
１５ａ    スクリュー、
１５ｂ    ナット、
１５ｃ    ステッピングモータ（駆動源、モータ）、
１６    指標表示枠、
１６ａ    指標、
１６ｂ    被写界深度指標、
１７    回転操作部（回転操作手段）、
１７ａ    操作部、
１７ｂ    内側円筒部、
１７ｃ    凸条部、
１７ｄ    第１斜面部、
１７ｅ    第２斜面部、
１７ｅ    スリット、
１７ｇ    係合凸部（係合部）、
１７ｈ    フランジ部、
１７ｉ    高摩擦材、
１７ｊ    テーパ部、
１７ｋ    Ｃ型リング、
１７ｍ    溝部、
１８    距離表示部（距離表示手段）、
１８ａ    距離目盛、
１８ｂ    係合ピン（係合部）、
１８ｃ    フランジ部、
１８ｄ    テーパ部、
１９    絞り機構部、
２１    第１のエンコーダ部（第１のエンコーダ手段、回転検出手段）、
２１ａ    フォトインタラプタ、
２２    操作部位置検出部（操作手段位置検出手段）、
２３    第２のエンコーダ部（第２のエンコーダ手段、回転位置検出手段）、
【図１】
2014081527.tif 000003
【図２】
2014081527.tif 000004
【図３】
2014081527.tif 000005
【図４】
2014081527.tif 000006
【図５】
2014081527.tif 000007
【図６】
2014081527.tif 000008
【図７】
2014081527.tif 000009
【図８】
2014081527.tif 000010
【図９】
2014081527.tif 000011
【図１０】
2014081527.tif 000012
【図１１】
2014081527.tif 000013
【図１２】
2014081527.tif 000014
【図１３】
2014081527.tif 000015
【図１４】
2014081527.tif 000016
【図１５】
2014081527.tif 000017